(57)【特許請求の範囲】
【請求項１】
部品を複数収容する部品収容器を少なくとも含む交換要素が配列方向に配列される部品供給部を有する部品装着装置の前記部品供給部に着脱可能に装備される前記交換要素を交換する交換装置であって、
前記部品装着装置に対して前記配列方向に移動可能に設けられた配列方向移動部と、
前記交換要素の着脱方向に移動可能に前記配列方向移動部に設けられた着脱方向移動部と、
前記着脱方向移動部に設けられ、前記交換要素を保持可能な保持機構と、
前記着脱方向移動部に設けられ、前記部品供給部に装備された前記交換要素の離脱を防止するロック部を解除可能な解除機構と、
前記着脱方向移動部に設けられ、前記保持機構および前記解除機構を動作させる共通駆動部と、を備え、
前記共通駆動部は、直接動作部材を直接的に駆動して動作させるとともに、前記直接動作部材の動作を介して間接動作部材を動作させ、
前記保持機構は、前記直接動作部材および前記間接動作部材の一方により前記交換要素の保持動作を行い、
前記解除機構は、前記直接動作部材および前記間接動作部材の他方により前記ロック部の解除動作を行う、
交換装置。
【請求項２】
前記解除機構は、前記着脱方向に動作する前記直接動作部材を有し、
前記直接動作部材は、前記ロック部を解除する解除操作部を前記着脱方向の先端にもち、さらに前記保持機構が有する前記間接動作部材を動作させる間接駆動部を側面にもつ、
請求項１に記載の交換装置。
【請求項３】
前記解除機構は、前記着脱方向に動作する前記直接動作部材を有し、
前記直接動作部材は、前記ロック部を解除する解除操作部を前記着脱方向の先端にもち、さらに前記保持機構を前記着脱方向に動作させる中間駆動部をもつ、
請求項１または２に記載の交換装置。
【請求項４】
前記保持機構が有する前記間接動作部材は、前記解除機構が有する前記直接動作部材に対して対称に配置されるとともに開閉動作して前記交換要素を把持する複数のチャックである、請求項１〜３のいずれか一項に記載の交換装置。
【請求項５】
前記直接動作部材が動作した位置を検出する位置センサと、
前記位置センサの検出結果に基づいて前記共通駆動部を制御する制御部と、
をさらに備える、請求項１〜４のいずれか一項に記載の交換装置。
【請求項６】
前記直接動作部材は、手動動作を可能にする手動レバーを有する、請求項１〜５のいずれか一項に記載の交換装置。
【請求項７】
前記交換要素は、前記部品装着装置との位置関係を規定する位置決め部材、および前記部品装着装置との電気的な接続を行うコネクタの少なくとも一方を所定高さに有し、
前記保持機構は、前記交換要素の前記所定高さの部位を保持する、
請求項１〜６のいずれか一項に記載の交換装置。
【請求項８】
前記保持機構は、前記交換要素に当接する保持面を有し、
前記保持機構および前記解除機構は、動作しない初期状態では前記保持面から突出しない、
請求項１〜７のいずれか一項に記載の交換装置。
【請求項９】
前記交換要素は、前記部品を供給する部品供給装置、または、前記部品収容器である、請求項１〜８のいずれか一項に記載の交換装置。
【発明の詳細な説明】
【技術分野】
【０００１】
本明細書は、部品装着装置に着脱可能に装備される交換要素を自動で交換する交換装置に関する。
【背景技術】
【０００２】
プリント配線が施された基板に対基板作業を実施して、回路基板を量産する技術が普及している。対基板作業を実施する対基板作業装置には、部品の装着作業を実施する部品装着装置などがある。部品装着装置が備える部品供給装置の代表例として、キャリアテープを用いて部品を供給するテープフィーダがある。近年、部品供給の手間を省力化するために、テープフィーダを自動で交換し、あるいはキャリアテープを巻回したテープリールを自動で交換する技術が開発されている。この種の交換装置に関する技術例が、特許文献１、２に開示されている。【０００３】
特許文献１のフィーダ交換装置は、複数のテープフィーダを収容するフィーダ収容部と、フィーダ収容部と部品装着装置のフィーダ台の間を移動する移動部材と、移動部材に設けられてテープフィーダを把持する把持装置と、キャリアテープから剥がされたカバーテープを切断する装置の少なくとも一部と、を有する。これによれば、テープフィーダの自動交換が可能になり、作業者の負担を大幅に低減できる、とされている。さらに、実施形態の説明によれば、フィーダ交換装置は、把持装置のアクチュエータ（駆動部）に加え、テープフィーダをフィーダ台にロックしているクランプ機構を解除する第２のアクチュエータを備える。【０００４】
また、特許文献２の部品実装システムは、基板に部品を装着する部品装着装置と、部品装着装置に装備されて部品を供給する部品供給装置と、複数の部品を収容する部品収容器を保持して自動で移動し、部品を部品供給装置に補給する自走部品補給装置と、を備える。これによれば、作業者の部品交換作業を削減できる、とされている。さらに、実施形態の説明によれば、自走部品補給装置は、部品収容器に相当する部品カセットを補給するカセット補給機構、および、部品カセットを回収するカセット回収機構を備える。換言すると、自走部品補給装置は、部品カセットの補給用および回収用に別々の駆動部を備える。
【先行技術文献】
【特許文献】
【０００５】
【特許文献１】国際公開第２０１５／１２１９７６号
【特許文献２】特開２０１７−２１６３７９号公報
【発明の概要】
【発明が解決しようとする課題】
【０００６】
ところで、特許文献１および２の交換装置の技術例において、交換要素（テープフィーダ、部品カセット）を交換するために、複数の駆動部が用いられている。しかしながら、複数の駆動部が用いられることにより、交換装置のコストが上昇する。加えて、複数の駆動部の配置スペースの制約や、装置の大形化の問題点等も生じる。特に、近年では部品の小形化および供給できる部品種数の増加の要請に対応して、テープフィーダの薄型化が進んでおり、交換装置のコンパクト化が必要となっている。【０００７】
本明細書では、駆動部を簡素化することにより低コストの交換装置を提供することを解決すべき課題とする。
【課題を解決するための手段】
【０００８】
本明細書は、部品を複数収容する部品収容器を少なくとも含む交換要素が配列方向に配列される部品供給部を有する部品装着装置の前記部品供給部に着脱可能に装備される前記交換要素を交換する交換装置であって、前記部品装着装置に対して前記配列方向に移動可能に設けられた配列方向移動部と、前記交換要素の着脱方向に移動可能に前記配列方向移動部に設けられた着脱方向移動部と、前記着脱方向移動部に設けられ、前記交換要素を保持可能な保持機構と、前記着脱方向移動部に設けられ、前記部品供給部に装備された前記交換要素の離脱を防止するロック部を解除可能な解除機構と、前記着脱方向移動部に設けられ、前記保持機構および前記解除機構を動作させる共通駆動部と、を備え、前記共通駆動部は、直接動作部材を直接的に駆動して動作させるとともに、前記直接動作部材の動作を介して間接動作部材を動作させ、前記保持機構は、前記直接動作部材および前記間接動作部材の一方により前記交換要素の保持動作を行い、前記解除機構は、前記直接動作部材および前記間接動作部材の他方により前記ロック部の解除動作を行う、交換装置を開示する。
【発明の効果】
【０００９】
本明細書で開示する交換装置によれば、保持機構および解除機構を共通駆動部から駆動するので、駆動源を共通化しつつ構成部品点数を従来よりも削減して、駆動部の構成を簡素化できる。したがって、保持機構および解除機構に別々の駆動部を設ける従来技術と比較して、低コストの交換装置を提供できる。
【図面の簡単な説明】
【００１０】
【図１】実施形態の交換装置を適用する部品装着システムの構成例を示した斜視図である。
【図２】交換要素に相当するテープフィーダの側面図である。
【図３】テープフィーダのロック部付近の構成および着脱方向移動部の内部の構成を示す側面図である。
【図４】交換部の内部の構成を示す斜視図である。
【図５】保持機構および解除機構が動作した保持状態を示す着脱方向移動部の側面図である。
【図６】交換部がテープフィーダを収容した状態を示す斜視図である。
【発明を実施するための形態】
【００１１】
１．実施形態の交換装置１を適用する部品装着システム９の構成
まず、実施形態の交換装置１の適用箇所となる部品装着システム９の構成例について説明する。図１は、実施形態の交換装置１を適用する部品装着システム９の構成例を示した斜視図である。図１に示されるように、部品装着システム９の前後左右を便宜的に定める。部品装着システム９は、複数の対基板作業装置が左右方向に列設されて構成される。すなわち、半田印刷装置９１、印刷検査装置９２、第１部品装着装置９３、第２部品装着装置９４、第３部品装着装置９５、図略の基板外観検査装置、および図略のリフロー装置が、左側から右側へと列設される。
【００１２】
それぞれの対基板作業装置は、基板に対する所定の作業、すなわち対基板作業を実施する。具体的に、半田印刷装置９１は、ペースト状の半田を定められたパターン形状で基板に印刷する。印刷検査装置９２は、基板の半田印刷状態を撮像して検査する。第１部品装着装置９３、第２部品装着装置９４、および第３部品装着装置９５は、部品供給部９Ａから部品を採取して、基板の半田の上に装着する。基板外観検査装置は、基板に装着された部品を撮像して外観状態を検査する。リフロー装置は、半田を加熱および冷却することによって部品の半田付けを確かなものとする。対基板作業は、上記した作業内容に限定されず、付随する諸作業等も含む。例えば、基板の搬入出作業や位置決め作業、基板や部品を撮像してそれらの位置や姿勢を把握する確認作業も、対基板作業に含まれる。
【００１３】
第１部品装着装置９３、第２部品装着装置９４、および第３部品装着装置９５は、互いに同一構造である。部品装着装置（９３、９４、９５）は、部品供給部９Ａ、予備フィーダ保管部９Ｂ、図１には見えない基板搬送装置、および部品移載装置を有する。
【００１４】
部品供給部９Ａは、機台９９の前側の概ね中間高さに配置される。部品供給部９Ａは、前後方向に延びかつ所定ピッチで互いに平行に形成された複数のスロットを有する。部品供給部９Ａの各スロットには、それぞれテープフィーダ８が挿入されて装備される。つまり、複数のテープフィーダ８は、図１の左右方向に並んで配列される。
【００１５】
テープフィーダ８は、部品供給部９Ａに着脱可能に装備される部品供給装置であり、交換要素に相当する。また、図１の左右方向は、交換要素の配列方向（以降、単に配列方向と略記）となり、図１の前後方向は、交換要素の着脱方向（以降、単に着脱方向と略記）となる。テープフィーダ８は、第１部品装着装置９３、第２部品装着装置９４、および第３部品装着装置９５で互換使用される。
【００１６】
予備フィーダ保管部９Ｂは、機台９９の前側の部品供給部９Ａの下側に配置される。予備フィーダ保管部９Ｂも、前後方向に延びかつ所定ピッチで互いに平行に形成された複数のスロットを有する。予備フィーダ保管部９Ｂのスロットには、使用準備が整った予備のテープフィーダ８や、使い終わったテープフィーダ８が配列されて一時的に保管される。基板搬送装置は、基板の搬入、位置決め、および搬出を行う。部品移載装置は、吸着ノズルなどの部品装着具を用いて部品供給部９Ａから部品を採取し、基板に装着する。
【００１７】
また、部品装着システム９には、フィーダ保管装置９６、ライン管理装置９７、および実施形態の交換装置１が設けられている。フィーダ保管装置９６は、半田印刷装置９１の左側に隣接し、かつ、部品装着装置（９３、９４、９５）の部品供給部９Ａと同じ高さに配置される。フィーダ保管装置９６も、前後方向に延びかつ所定ピッチで互いに平行に形成された複数のスロットを有する。フィーダ保管装置９６のスロットにも、使用準備が整ったテープフィーダ８や、使い終わったテープフィーダ８が配列されて保管される。
【００１８】
ライン管理装置９７は、フィーダ保管装置９６の左側に隣接して配置される。ライン管理装置９７は、複数の対基板作業装置と通信接続される。ライン管理装置９７は、基板の種類ごとに異なる対基板作業の作業内容を記述したジョブデータを管理する。ライン管理装置９７は、生産計画に基づいて、複数の対基板作業装置にそれぞれのジョブデータを送出する。ライン管理装置９７は、さらに、複数の対基板作業装置の動作状況を監視する。
【００１９】
２．テープフィーダ８の構造
次に、テープフィーダ８の構造について説明する。図２は、交換要素に相当するテープフィーダ８の側面図である。テープフィーダ８は、側板を含んだ枠体８１に各種の部材が組み付けられて、幅方向に薄く構成される。テープフィーダ８は、枠体８１、リール収容枠８２、収容板８３、開閉板８４、テープ送給部８５、部品供給位置８６、フィーダ制御部８７、突条８８、上位置決めピン８９、下位置決めピン８Ａ、コネクタ８Ｂ、およびロック部８Ｃなどを有する。
【００２０】
リール収容枠８２は、枠体８１の概ね中央に大きな円形の内部空間を形成する複数の枠部材である。リール収容枠８２は、内部空間にテープリールＴＲを回転自在に収容する。リール収容枠８２の下部寄りに、収容板８３が取り付けられる。収容板８３と枠体８１の側板との離間距離は、テープリールＴＲの厚さよりわずかに大きく設定される。収容板８３は、テープリールＴＲの離脱を防止する。
【００２１】
リール収容枠８２の中間高さよりも上寄りに、開閉板８４が取り付けられる。開閉板８４と枠体８１の側板との離間距離も、テープリールＴＲの厚さよりわずかに大きく設定される。かつ、開閉板８４は、上部の前後二箇所８４１が枠体８１に支持されて上方に開放するようになっている。開閉板８４が開放することにより、テープリールＴＲの交換が可能となる。テープリールＴＲには、複数の部品を収納したキャリアテープが巻回されている。テープリールＴＲは、部品を複数収容する部品収容器に相当する。
【００２２】
テープ送給部８５は、枠体８１の前上部に配設される。テープ送給部８５は、テープリールＴＲからキャリアテープを引き出し、枠体８１の上面の前部に設けられた部品供給位置８６まで送給する。テープ送給部８５は、キャリアテープの送り穴に嵌合する歯をもつスプロケット、および、スプロケットを回転駆動するモータなどで構成される。
【００２３】
フィーダ制御部８７は、枠体８１の後下部に配設される。フィーダ制御部８７は、テープ送給部８５を制御し、また、ロック部８Ｃの状態を監視する。フィーダ制御部８７は、コネクタ８Ｂを経由して、部品装着装置（９３、９４、９５）の本体側の制御装置と通信接続される。
【００２４】
突条８８は、枠体８１の底面に設けられる。突条８８は、部品供給部９Ａ、予備フィーダ保管部９Ｂ、およびフィーダ保管装置９６のいずれのスロットにも挿入されるようになっている。突条８８は、さらに、後述する交換装置１の交換部３のケース３１のスロット３１４にも挿入されるようになっている。これにより、テープフィーダ８は、交換時に突条８８がスロット３１４に案内されて、交換装置１から部品供給部９Ａ等に乗り移ったり、逆方向に乗り移ったりする。
【００２５】
上位置決めピン８９および下位置決めピン８Ａは、枠体８１の前面の上部に、上下に離隔して設けられる。上位置決めピン８９および下位置決めピン８Ａは、部品供給部９Ａの位置決め孔に嵌入して、テープフィーダ８を位置決めする。コネクタ８Ｂは、上位置決めピン８９と下位置決めピン８Ａの間に配設される。コネクタ８Ｂは、テープフィーダ８への電源供給および通信接続を担う。テープフィーダ８が位置決めされるとき、コネクタ８Ｂは、部品供給部９Ａの受け側コネクタに自動的に嵌合する。
【００２６】
ロック部８Ｃは、枠体８１の後上部に配設される。図３は、テープフィーダ８のロック部８Ｃ付近の構成、および交換装置１の着脱方向移動部３２（後述）の内部の構成を示す側面図である。ロック部８Ｃは、ロックピン８Ｄ、ロックばね８Ｅ、ロック操作部材８Ｆ、およびロックセンサ８Ｌなどで構成される。ロックピン８Ｄは、筒状の部材であり、枠体８１によって上下動可能に保持される。ロックばね８Ｅは、コイル形状に形成され、ロックピン８Ｄの内部に配置される。ロックばね８Ｅは、その一端が枠体８１に結合され、その他端がロックピン８Ｄに結合される。
【００２７】
ロックばね８Ｅは、ロックピン８Ｄを上向きに付勢する。部品供給部９Ａに装備されたテープフィーダ８において、付勢により上昇したロックピン８Ｄは、枠体８１の上面から突出し、部品供給部９Ａのロック孔９Ｈに嵌入する。これにより、ロック部８Ｃはロック状態となり、テープフィーダ８の離脱やガタツキが防止される。
【００２８】
ロック操作部材８Ｆは、揺動支点８Ｇを有するＹ字形状の部材である。揺動支点８Ｇは、枠体８１によって揺動可能に支承される。揺動支点８Ｇから前方に伸びる作用アーム８Ｈは、ロックピン８Ｄの下端に係止される。揺動支点８Ｇから上方に伸びる解除アーム８Ｊは、後述する直接動作部材６１により前方に押動される。揺動支点８Ｇから後方に伸びる手動アーム８Ｋは、枠体８１の後面から突出している。手動アーム８Ｋは、作業者の操作により上方に押動される。
【００２９】
解除アーム８Ｊまたは手動アーム８Ｋが押動されることにより、ロック操作部材８Ｆは、揺動支点８Ｇを中心にして図２の時計回りに揺動する。このとき、作用アーム８Ｈは、ロックばね８Ｅに抗してロックピン８Ｄを下降させる。すると、ロックピン８Ｄは、ロック孔９Ｈから抜け出る。これにより、ロック部８Ｃは、ロック状態から解除状態に移行する（図５参照）。また、テープフィーダ８は、スロットからの引き出し操作が可能な状態となる。
【００３０】
ロックセンサ８Ｌは、ロック部８Ｃの状態、すなわち、ロック状態であるかそれとも解除状態であるかを検出する。ロックセンサ８Ｌは、出力ケーブル８Ｍを経由して、検出結果をフィーダ制御部８７に出力する。部品供給部９Ａに装備されたテープフィーダ８において、フィーダ制御部８７は、ロック部８Ｃが解除状態であるときに部品の供給動作を進めない。その理由は、テープフィーダ８が良好な装備姿勢でないと判断されることに因る。
【００３１】
また、図３に示されるように、ロック部８Ｃの後側に、保持板８Ｎが鉛直方向に設けられる。保持板８Ｎは、保持機構５によって保持される部位である。保持板８Ｎは、中央に保持孔８Ｐを有する。保持孔８Ｐは、コネクタ８Ｂと同じ高さ（所定高さ）に位置する。後方から見て、保持孔８Ｐの延長線上に、ロック操作部材８Ｆの解除アーム８Ｊが位置する。
【００３２】
３．実施形態の交換装置１の構成
実施形態の交換装置１の説明に移る。交換装置１は、テープフィーダ８を自動で交換する。詳細には、交換装置１は、部品装着装置（９３、９４、９５）の部品供給部９Ａと、予備フィーダ保管部９Ｂとの間でテープフィーダ８を交換する。また、交換装置１は、部品装着装置（９３、９４、９５）とフィーダ保管装置９６との間を移動し、テープフィーダ８を搬送して交換する。
【００３３】
図１に示されるように、交換装置１は、配列方向移動部２、配列方向駆動装置２０、交換部３、および交換部３の内部に設けられる諸構成要素で構成される。配列方向移動部２は、部品装着装置（９３、９４、９５）に対して配列方向に移動可能に設けられる。配列方向移動部２は、前側が開いた縦長の箱形状の部材である。配列方向駆動装置２０は、配列方向移動部２を配列方向に移動させる。配列方向駆動装置２０は、移動しない側に設けられる軌道部、移動する側に設けられて前記軌道部に移動可能に係合する係合部、および移動用の動力を発生する駆動源などで構成される。
【００３４】
軌道部に相当する中段レール２１および下段レール２２は、複数の対基板作業装置の機台９９の後面、およびフィーダ保管装置９６の後面にそれぞれ設けられる。中段レール２１および下段レール２２は、配列方向に延在する。中段レール２１の高さ位置は、部品供給部９Ａと予備フィーダ保管部９Ｂの中間に統一されている。下段レール２２の高さ位置は、予備フィーダ保管部９Ｂの下側に統一されている。これにより、複数の中段レール２１および複数の下段レール２２は、フィーダ保管装置９６から第３部品装着装置９５まで続いて互いに平行する２条の軌道部を形成する。
【００３５】
係合部に相当する中段走行部２３および下段走行部２４は、配列方向移動部２の前側の左右にそれぞれ配置される。中段走行部２３は、中段レール２１に走行可能に係合し、下段走行部２４は、下段レール２２に走行可能に係合する。中段走行部２３は、さらに走行用の動力を発生する駆動源を含んでいる。これにより、配列方向移動部２は、中段レール２１および下段レール２２に装架され、配列方向に走行して移動する。
【００３６】
さらに、配列方向移動部２は、中段走行部２３と下段走行部２４の間の高さ位置であって、テープフィーダ８の交換を阻害しない高さ位置に非接触受電部２５を備える。非接触受電部２５は、複数の対基板作業装置の対応する高さに設けられた非接触送電部から非接触で電力を受電する。
【００３７】
また、配列方向移動部２は、昇降駆動部２６および交換部３を箱形状の内部に有する。昇降駆動部２６は、部品供給部９Ａの高さから予備フィーダ保管部９Ｂの高さまで、交換部３を昇降駆動する。昇降駆動部２６として、ボールねじ送り機構を例示でき、これに限定されない。図４は、交換部３の内部の構成を示す斜視図である。図４において、ケース３１の手前側の側板などが省略されている。
【００３８】
交換部３は、ケース３１、二つの着脱方向移動部３２、および二つの着脱方向駆動装置４からなる。ケース３１は、隣接して配列された４個のテープフィーダ８を並べた状態で出し入れできる開口部３１１を前側に有する。ケース３１は、さらに、４個のテープフィーダ８を収容できる内部空間をもつ。また、ケース３１の底板３１３には、所定ピッチで互いに平行に形成された４個のスロット３１４が刻設されている。さらに、底板３１３の各スロット３１４の前側に、それぞれガイドローラ３１５が配設される。これにより、テープフィーダ８は、突条８８がスロット３１４に案内されつつ開口部３１１およびガイドローラ３１５を経由して出し入れされる。
【００３９】
二つの着脱方向移動部３２は、配列方向移動部２に対して互いに独立して着脱方向に移動可能に設けられる。二つの着脱方向移動部３２は、ケース３１内に設けられ、配列方向に分かれて配置される。着脱方向移動部３２は、前側の上部に保持面３３を有し、前側の下部に当接面３４を有する。着脱方向移動部３２は、保持面３３でテープフィーダ８の後面上部の保持板８Ｎを保持する。このとき、当接面３４は、テープフィーダ８の後面下部に当接する。なお、当接面３４にコネクタを設けて、テープフィーダ８のフィーダ制御部８７に接続することも可能である。
【００４０】
移動する着脱方向移動部３２へ給電するために、可撓性を有する電源ケーブル３５が着脱方向移動部３２の上側に架設される。電源ケーブル３５は、着脱方向移動部３２の上部の電源端子３６に接続される。
【００４１】
着脱方向駆動装置４は、二つの着脱方向移動部３２を互いに独立して着脱方向に移動させる。着脱方向駆動装置４は、着脱方向移動部３２ごとに設けられる。着脱方向駆動装置４は、上レール４１、下レール４２、駆動モータ４３、固定プーリ４４、駆動ベルト４５などで構成される。図４には、紙面奥側の着脱方向移動部３２を駆動する着脱方向駆動装置４が示されている。
【００４２】
上レール４１および下レール４２は、ケース３１の側板３１２に設けられる。上レール４１および下レール４２は、上下に離隔しつつ平行し、着脱方向に延在する。駆動モータ４３は、ケース３１内の後部に配置される。駆動モータ４３から紙面奥側に突き出た出力軸に、減速機構が付設される。固定プーリ４４は、側板３１２の前部に配置される。環状の駆動ベルト４５は、減速機構の出力部と固定プーリ４４の間に水平に架け渡され、輪転可能となっている。
【００４３】
着脱方向移動部３２は、上レール４１および下レール４２に装架される。着脱方向移動部３２は、駆動ベルト４５の輪転により駆動され、交換部３の内部空間を着脱方向に移動する。着脱方向駆動装置４は、保持面３３に保持されたテープフィーダ８および着脱方向移動部３２を一緒に移動させる。当然ながら、着脱方向駆動装置４は、着脱方向移動部３２だけを移動させることもできる。
【００４４】
紙面手前側の着脱方向移動部３２を駆動する着脱方向駆動装置４に関して、構成自体は上述と同様であるが、部材の配置位置は相違する。すなわち、駆動モータ４７は、駆動モータ４３よりも高い位置に逆向きに設けられる。また、図６に示されるように、紙面手前側の図略の側板に設けられる固定プーリ４８および駆動ベルト４９も、対応する高い位置に配置される。このように二つの着脱方向駆動装置４を異なる高さに逆向きに配置することにより、交換部３および配列方向移動部２の薄型化が実現される。
【００４５】
着脱方向移動部３２の内部構成について、さらに説明を続ける。二つの着脱方向移動部３２の各々には、保持機構５、解除機構６、共通駆動部７、および制御部７９の組み合わせが２組設けられる。この２組は、同一構成であり、配列方向に並んで配置され、互いに独立して動作する。以降では、１組の構成について詳細に説明する。保持機構５、解除機構６、共通駆動部７、および制御部７９は、着脱方向移動部３２の一部であって鉛直方向に延在する本体部３７に取り付けられる。
【００４６】
共通駆動部７は、保持機構５および解除機構６を動作させる。図３に示されるように、共通駆動部７は、ステッピングモータ７１、第１ギヤ７３、第２ギヤ７６、および揺動部材７７で構成される。ステッピングモータ７１は、本体部３７の下部寄りに固定される。ステッピングモータ７１は、制御部７９からの指令にしたがい、正回転および逆回転が切り替わるとともに、指令された回転量だけ回転する。ステッピングモータ７１の出力軸には、少歯数の出力歯車７２が設けられる。
【００４７】
第１ギヤ７３は、ステッピングモータ７１よりも上側に配置され、本体部３７に回転可能に支承される。第１ギヤ７３は、相対的に多歯数の大歯車７４、および相対的に少歯数の小歯車７５が、一体的に同軸に重ねられて構成される。図４において、小歯車７５は、大歯車７４の裏側に位置して見えない。大歯車７４は、出力歯車７２と噛合する。
【００４８】
第２ギヤ７６は、第１ギヤ７３よりも上側に配置され、本体部３７に回転可能に支承される。第２ギヤ７６は、小歯車７５よりも多数の歯を有して、小歯車７５と噛合する。第２ギヤ７６の上部寄りに、揺動部材７７が設けられる。揺動部材７７は、第２ギヤ７６の外周よりも外側の位置に揺動ピン７８を有する。出力歯車７２、第１ギヤ７３、および第２ギヤ７６は、減速機構を構成する。これにより、ステッピングモータ７１の正回転および逆回転は、揺動ピン７８の着脱方向の揺動に変換される。
【００４９】
解除機構６は、部品供給部９Ａに装備されたテープフィーダ８の離脱を防止するロック部８Ｃを解除可能である。解除機構６は、直接動作部材６１および手動レバー６７などで構成される。直接動作部材６１は、着脱方向に長い棒状の部材である。直接動作部材６１は、長さ方向の概ね中間位置に、上下方向に長い長孔６２をもつ。この長孔６２に、揺動ピン７８が遊嵌している。したがって、揺動ピン７８の円弧を描く揺動は、直接動作部材６１の着脱方向の直動に変換される。また、直接動作部材６１は、ロック部８Ｃを解除する解除操作部６３を前側の先端にもつ。
【００５０】
さらに、直接動作部材６１は、長孔６２を挟んだ前後に、中間駆動ピン６４をもつ。２本の中間駆動ピン６４は、後述するスライドプレート５１の長孔５３に遊嵌する。これにより、直接動作部材６１の水平状態が維持される。中間駆動ピン６４は、保持機構５を着脱方向に動作させる中間駆動部に相当する。さらに、直接動作部材６１は、前側の中間駆動ピン６４と解除操作部６３の間の上下の側面に、それぞれ間接駆動突起６５をもつ。上下一対の間接駆動突起６５は、後述する保持機構５のチャック５５を駆動する。間接駆動突起６５は、保持機構５が有する間接動作部材（チャック５５）を動作させる間接駆動部に相当する。
【００５１】
手動レバー６７は、直接動作部材６１の後端から上方に立設される。手動レバー６７は、作業者によって着脱方向に操作され、共通駆動部７が不調のときなどに直接動作部材６１の手動動作を可能にする。手動レバー６７の下側に位置マーカ６８が設けられる。位置マーカ６８は、直接動作部材６１と一体的に動作して、直接動作部材６１の位置を示す。本体部３７には、位置マーカ６８を検出する基準位置センサ６Ａおよび保持位置センサ６Ｂが設けられる。
【００５２】
図３には、保持機構５および解除機構６が動作していない初期状態が示されている。基準位置センサ６Ａは、初期状態に対応する直接動作部材６１の後端位置において、位置マーカ６８を検出する。保持位置センサ６Ｂは、保持機構５および解除機構６が動作したときの保持状態に対応する直接動作部材６１の前端位置において、位置マーカ６８を検出する（図５参照）。基準位置センサ６Ａおよび保持位置センサ６Ｂは、検出結果を制御部７９に出力する。
【００５３】
保持機構５は、交換対象となるテープフィーダ８を保持可能である。二つの保持機構５は、保持面３３を共有している。保持機構５の各々は、スライドプレート５１および上下一対のチャック５５などで構成される。スライドプレート５１は、概ね矩形板状の部材であり、台形状の切欠孔が設けられている。スライドプレート５１は、図略の付勢スプリングにより前側に付勢されている。スライドプレート５１の切欠孔の中で、揺動部材７７が揺動する。スライドプレート５１には、着脱方向に長い長孔形状のスライド孔５２が４個穿設されている。スライド孔５２の各々は、本体部３７に立設された支持ピン３８が遊嵌される。また、スライドプレート５１には、着脱方向に長い長孔５３が２個穿設されている。長孔５３の各々は、中間駆動ピン６４が遊嵌される。
【００５４】
スライド孔５２の着脱方向の遊び寸法と比較して、長孔５３の着脱方向の遊び寸法のほうが大きい。そして、スライド孔５２の着脱方向の遊び寸法と長孔５３の着脱方向の遊び寸法を加算すると、直接動作部材６１が着脱方向に動作する所定の動作ストローク長に一致する。図３に示される初期状態において、中間駆動ピン６４が長孔５３の後縁に接しており、前側に付勢されたスライドプレート５１の前進を阻んでいる。このとき、スライドプレート５１は、支持ピン３８がスライド孔５２の前縁に接した後退位置にある。
【００５５】
スライドプレート５１の前寄りの二箇所であって、直接動作部材６１に対して上下対称となる二箇所に、チャック支承座５４が設けられる。チャック支承座５４には、上下一対のチャック５５が揺動可能に支承される。チャック５５は、間接動作部材に相当する。上下一対のチャック５５は、後側が概ね平行する平行部となり、平行部の前側が相互に近付く接近部となり、接近部の前側が屈曲しながら相互に離れる屈曲部となっている。チャック５５は、平行部と接近部の境目あたりが支承される。
【００５６】
上下一対のチャック５５の向かい合う面に、直接動作部材６１の間接駆動突起６５がそれぞれ摺動する。図３において、間接駆動突起６５は、チャック５５の平行部の後尾に摺接している。このとき、上下一対のチャック５５は、接近部が直接動作部材６１に接する閉じた状態にある。そして、上下一対のチャック５５の屈曲部は、直接動作部材６１の解除操作部６３を挟みつつ、テープフィーダ８の保持孔８Ｐよりも小さく閉じている。
【００５７】
制御部７９は、本体部３７の下側に配置される。制御部７９は、基準位置センサ６Ａおよび保持位置センサ６Ｂの検出結果に基づいて、ステッピングモータ７１の回転方向および回転量を制御する。ステッピングモータ７１の回転量は制御可能であるので、基準位置センサ６Ａおよび保持位置センサ６Ｂは必須でない。しかしながら、交換装置１の電源が停止された場合や、手動レバー６７による操作が有った場合に、直接動作部材６１の位置が不明になるおそれがある。したがって、基準位置センサ６Ａおよび保持位置センサ６Ｂの少なくとも一方を設けることが好ましい。
【００５８】
４．実施形態の交換装置１の動作
次に、実施形態の交換装置１がテープフィーダ８を保持する保持動作について詳細に説明する。保持対象となるテープフィーダ８は、フィーダ保管装置９６、部品供給部９Ａ、および予備フィーダ保管部９Ｂのどこに有っても、以下の説明は共通である。まず、配列方向駆動装置２０は、配列方向移動部２を保持対象となるテープフィーダ８の正面まで移動させる。次に、昇降駆動部２６は、交換部３の高さをテープフィーダ８に合わせる。次に、着脱方向駆動装置４は、テープフィーダ８に正対する着脱方向移動部３２を着脱方向に前進させる。着脱方向移動部３２は、保持面３３がテープフィーダ８の保持板８Ｎに当接するまで前進する。この時点で、図３に示される状態となる。
【００５９】
図３に示されるように、初期状態の保持機構５および解除機構６は、動作しない初期状態では保持面３３から突出していない。このため、配列方向移動部２が配列方向にわずかに移動して着脱方向移動部３２の位置を微調整する場合が生じても、テープフィーダ８を損傷するおそれがない。仮に、直接動作部材６１やチャック５５が保持面３３から突出した状態であると、配列方向移動部２が移動する前に着脱方向移動部３２を一旦後退させる必要が生じるため、動作が煩雑かつ非効率になる。
【００６０】
次に、制御部７９は、ステッピングモータ７１を始動する。これにより、第２ギヤ７６および揺動部材７７は図３の時計回りに回転し始め、直接動作部材６１は着脱方向への前進を開始する。直接動作部材６１の中間駆動ピン６４の前進に伴い、スライドプレート５１も付勢されて前進を開始する。以降、スライドプレート５１は、支持ピン３８がスライド孔５２の後縁に接する前進位置まで前進する。これにより、直接動作部材６１および閉状態のチャック５５が共に保持面３３から突出して、保持孔８Ｐに入りこむ。
【００６１】
スライドプレート５１が前進位置で停止した後に直接動作部材６１がさらに前進すると、間接駆動突起６５がチャック５５の接近部にさしかかる。以降、間接駆動突起６５は、上下一対のチャック５５の接近部を押し拡げてチャック５５を開動作させる。すると、図５に示されるように、上下一対のチャック５５は、屈曲部が開いた状態となって、保持板８Ｎの内面を把持する。図５は、保持機構５および解除機構６が動作した保持状態を示す着脱方向移動部３２の側面図である。着脱方向移動部３２は、保持機構５の上下一対のチャック５５を用いてテープフィーダ８を保持している。なお、保持状態においてチャック５５と保持板８Ｎの間に多少のガタが有ってもよい。
【００６２】
直接動作部材６１が所定の動作ストローク長の前進を終えるとき、解除操作部６３は、解除アーム８Ｊを前方へ押動する。これにより、ロック部８Ｃは、解除状態に移行する。次に、着脱方向駆動装置４は、テープフィーダ８を保持した着脱方向移動部３２を後退させる。このとき、テープフィーダ８は、底面の突条８８が底板３１３のスロット３１４に案内されつつスライド移動して、交換部３の内部空間に収容される。図６は、交換部３がテープフィーダ８を収容した状態を示す斜視図である。図６において、交換部３を構成するケース３１が省略されている。なお、別形態として、交換部３は、底板３１３のスロット３１４を備えず、保持部５だけでテープフィーダ８を支持してもよい。
【００６３】
テープフィーダ８を収容する際に、着脱方向移動部３２は、テープフィーダ８を着脱方向に水平に引き出す。このときの引き出し力は、チャック５５からテープフィーダ８に作用する。そして、チャック５５はコネクタ８Ｂと同じ高さにあるので、コネクタ８Ｂは真っ直ぐに引き抜かれる。したがって、コネクタ８Ｂの破損のおそれが軽減される。同様に、上位置決めピン８９および下位置決めピン８Ａも、斜め方向の引き出し力が殆ど作用しないので、破損のおそれが軽減される。加えて、必要な引き出し力も小さくて済む。
【００６４】
この後、交換部３は、フィーダ保管装置９６、部品供給部９Ａ、および予備フィーダ保管部９Ｂのいずれかの正面まで駆動される。そして、交換部３は、収容したテープフィーダ８を、いずれかのスロットに保管し、または装備することができる。テープフィーダ８の保管動作および装備動作は、上述した保持動作の概ね逆順で実施される。
【００６５】
実施形態の交換装置１によれば、保持機構５および解除機構６を共通駆動部７から駆動するので、駆動源としてステッピングモータ７１を共通に用いることができる。また、保持機構５は、解除機構６の直接動作部材６１から間接的に駆動されるように構成されているので、構成部品点数を従来よりも削減できる。これらの相乗的な効果により、駆動部の構成を簡素化でき、保持機構５および解除機構６に別々の駆動部を設ける従来技術と比較して、低コストの交換装置１を提供できる。
【００６６】
５．実施形態の応用および変形
なお、実施形態の交換装置１は、２組の着脱方向移動部３２および着脱方向駆動装置４、ならびに、４組の保持機構５、解除機構６、共通駆動部７、および制御部７９を備えるが、これらを一つずつ備える構成であってもよい。また、保持機構５においてテープフィーダ８を把持するチャック５５に代え、テープフィーダ８を引っかけて引き出すフックや、テープフィーダ８を磁力で吸着する電磁石などを用いてもよい。さらに、共通駆動部７に直接的に駆動される直接動作部材６１がテープフィーダ８の保持動作を行い、直接動作部材６１に駆動される間接駆動部材がロック部８Ｃの解除動作を行ってもよい。
【００６７】
また、昇降駆動部２６を備えない交換装置として、部品供給部９Ａとフィーダ保管装置９６との間のみでテープフィーダ８を交換してもよい。さらには、テープリールＴＲを後側に取り出せるようにテープフィーダ８を構成して、交換装置１が交換要素としてテープリールＴＲだけを交換するようにしてもよい。本実施形態は、その他にも様々な応用や変形が可能である。
【符号の説明】
【００６８】
１：交換装置    ２：配列方向移動部    ２０：配列方向駆動装置    ２６：昇降駆動部    ３：交換部    ３２：着脱方向移動部    ３３：保持面    ４：着脱方向駆動装置    ５：保持機構    ５１：スライドプレート    ５５：チャック    ６：解除機構    ６１：直接動作部材    ６３：解除操作部    ６４：中間駆動ピン    ６５：間接駆動突起    ６７：手動レバー    ６Ａ：基準位置センサ    ６Ｂ：保持位置センサ    ７：共通駆動部    ７１：ステッピングモータ    ７３：第１ギヤ    ７６：第２ギヤ    ７７：揺動部材    ７９：制御部    ８：テープフィーダ    ８Ｃ：ロック部    ９：部品装着システム    ９３：第１部品装着装置    ９４：第２部品装着装置    ９５：第３部品装着装置    ９６：フィーダ保管装置    ９Ａ：部品供給部    ９Ｂ：予備フィーダ保管部
【図１】
0006974609.tif 000002
【図２】
0006974609.tif 000003
【図３】
0006974609.tif 000004
【図４】
0006974609.tif 000005
【図５】
0006974609.tif 000006
【図６】
0006974609.tif 000007